(57)【要約】【課題】被検知物質を精度よく測定することができる被検知物質測定デバイスを携帯型の小型デバイスとするために必要な、少ない消費電力で精度よくサンプル液を送液し、送液される溶液を切り替えることが可能な簡易な構成の送液機構と液切り替え機構を提供することを目的とする。【解決手段】吸水剤を利用した送液手段を流路に構成し、吸水材１１とサンプル液１０の接触面積を制御する流動抵抗部３４と、流動抵抗部３４による接触面積の制御を調節する流動抵抗調節部３５を複数の流路に配置し、被検知物質捕捉物質固定化領域２に接した流路３を流路移動調節部３３によってスライド移動することで、サンプル液１０を送液し、流路を切り替えることで送液切り替えを行ないまた送液される溶液ごとの流速を調節することが可能な、消費電力の少ない簡易な構成の小型な被検知物質測定デバイスを提供する。【選択図】図２５
2005265672.tif 000002
【特許請求の範囲】
【請求項１】
被検知物質捕捉物質固定化領域に固定された被検知物質捕捉物質とサンプル液を反応させることによって被検知物質を被検知物質捕捉物質固定化領域に捕捉し、被検知物質の捕捉量を検出し被検知物質濃度を測定する被検知物質捕捉物質固定化領域に接してサンプル液を流す流路を配置した被検知物質測定デバイスにおいて、動力を与えずに溶液を流動させる無動力送液部を有することを特長とした被検知物質測定デバイス。
【請求項２】
無動力送液部を溶液を吸収する吸水材とした事を特長とした請求項１記載の被検知物質測定デバイス。
【請求項３】
静水圧により溶液を流動させることを特長とした請求項１記載の被検知物質測定デバイス。
【請求項４】
被検知物質捕捉物質固定化領域に固定された被検知物質捕捉物質とサンプル液を反応させることによって被検知物質を被検知物質捕捉物質固定化領域に捕捉し、被検知物質の捕捉量を検出し被検知物質濃度を測定する被検知物質捕捉物質固定化領域に接してサンプル液を流す流路を配置した測定デバイスにおいて、該被検知物質捕捉物質固定化領域に接する流路につながる流路もしくは流路に流通させるサンプル液を蓄えるための液溜め部に圧力増加部もしくは圧力減少部を備えた事を特長とする被検知物質測定デバイス。
【請求項５】
圧力増加部もしくは圧力減少部としてガス発生装置もしくはガス収縮装置を流路内に設置したことを特長とする、請求項４記載の被検知物質測定デバイス。
【請求項６】
電気化学的方式を利用したガス発生装置から構成される請求項５記載の被検知物質測定デバイス。
【請求項７】
圧力増加部もしくは圧力減少部を、形状が変形する可変構造と可変構造の変形を調節する構造変化調節部とで構成した事を特長とする請求項４記載の被検知物質測定デバイス。
【請求項８】
可変構造もしくは構造変化調節部が形状記憶合金もしくはバイメタルなどの熱変形物質で構成される請求項７記載の被検知物質測定デバイス。
【請求項９】
可変構造もしくは構造変化調節部が熱膨張もしくは熱収縮する媒体を充填した空間と、該媒体の温度を制御する機構で構成される請求項７記載の被検知物質測定デバイス。
【請求項１０】
被検知物質捕捉物質固定化領域に固定された被検知物質捕捉物質とサンプル液を反応させることによって被検知物質を被検知物質捕捉物質固定化領域に捕捉し、被検知物質の捕捉量を検出し被検知物質濃度を測定する被検知物質捕捉物質固定化領域に接してサンプル液を流す流路を配置した測定デバイスにおいて、流路内で被検知物質を含む物質が電気泳動されるように電気泳動用電極が配置されていることを特徴とし、電気泳動によって被検知物質を含む物質を被検知物質捕捉物質固定化領域に流動させる被検知物質測定デバイス。
【請求項１１】
被検知物質捕捉物質固定化領域に固定された被検知物質捕捉物質とサンプル液を反応させることによって被検知物質を被検知物質捕捉物質固定化領域に捕捉し、被検知物質の捕捉量を検出し被検知物質濃度を測定する被検知物質捕捉物質固定化領域に接してサンプル液を流す流路を配置した測定デバイスにおいて、単独もしくは複数の流路内に流動切り替え手段と、該流動切り替え手段を制御する機構を有することを特徴とした、請求項１、４、または１０記載の被検知物質測定デバイス。
【請求項１２】
被検知物質捕捉物質固定化領域に固定された被検知物質捕捉物質とサンプル液を反応させることによって被検知物質を被検知物質捕捉物質固定化領域に捕捉し、被検知物質の捕捉量を検出し被検知物質濃度を測定する被検知物質捕捉物質固定化領域に接してサンプル液を流す流路を配置した測定デバイスにおいて、単独もしくは複数の送液部につながる流路と該被検知物質捕捉物質固定化領域に接した流路との接続状態を切替え可能とする治具と、該被検知物質捕捉物質固定化領域に接した流路を移動させる機構から構成され、該被検知物質捕捉物質固定化領域に接した流路を移動することで流路を切り替えることが可能な請求項１、４、または１０記載の被検知物質測定デバイス。
【請求項１３】
溶液の流動に対する抵抗を持った抵抗部を流路内に持ち、流路ごとに異なる抵抗をもつ抵抗部が配置されていることを特徴とした請求項１２記載の被検知物質測定デバイス。
【請求項１４】
流路内に抵抗が変動する抵抗部と、該抵抗部の抵抗を調節する機構を有する請求項１３記載の被検知物質測定デバイス。
【発明の詳細な説明】
【技術分野】
【０００１】
本発明は、被検知物質、例えば、抗原となり得る化学物質やタンパク質や微生物やウイルスの他、抗体などを微少量であっても短時間で精度よく検知して測定する方法に関する。
【背景技術】
【０００２】
従来、この種の被検知物質測定技術は、被検知物質を含んだサンプル液を検知素子上に流通させることで検知測定するが、この種の被検知物質測定デバイスにおけるサンプル液送液機構として特許文献１に記載されたものが知られている。以下、その装置および測定方法について図２６を参照しながら説明する。
【０００３】
図２６においてフロースルーセル素子１０１に燐酸緩衝液１０２や被測定液１０３等の溶液を切り替えて供給させる電磁弁１０４ａ及び１０４ｂと送液ポンプ１０５とを備え、フロースルーセル素子１０１からの流出液を排出あるいは回収させるための電磁弁１０４ｄ及び１０４ｃを備えている。
【０００４】
また、この種の送液機構として従来使用されているポンプとして、ペリスタポンプやプランジャーポンプ（例えば、特許文献２参照）やシリンジポンプ（例えば、特許文献３参照）が上げられる。
【特許文献１】特開平１１−１８３４７９号公報
【特許文献２】特開平１１−２８１６１６号公報
【特許文献３】特開２００１−４５３７号公報
【発明の開示】
【発明が解決しようとする課題】
【０００５】
このような従来の被検知物質測定デバイスでは、低濃度の被検知物質を精度よく測定するために、被検知物質測定デバイス内にサンプル液を検知素子上に送液する手段としてサンプル液の流速や流量が微調整できる高精度のポンプと、サンプル液の切り替えを正確に行う手段として液切替え装置を組み込んでおり、また、高精度のポンプと液切替え装置を作動させる消費電力が大きいため容量の大きな電源が必要であり、測定精度の高い被検知物質測定デバイスを携帯可能な小型デバイスとするためには、高精度のポンプと液切替え装置にかわる小型化可能で消費電力の少ない簡易な構成の送液機構と液切り替え機構が要求されていた。
【０００６】
本発明は、このような従来の課題を解決するものであり、高精度のポンプと液切替え装置にかわる小型化可能で消費電力の少ない簡易な構成の送液機構と液切り替え機構を組み込んだ携帯可能な小型の被検知物質測定デバイスを提供することを目的としている。
【課題を解決するための手段】
【０００７】
本発明の動力を与えずに溶液を流動させる無動力送液部を有することを特長とした被検知物質測定デバイスは上記目的を達成するために、簡易な構成の送液手段として送液のために加える動力を必要としない無動力送液部を被検知物質測定デバイス内の流路に配置したものであり、この手段により、小型化可能で消費電力の少ない簡易な構成の送液機構が得られる。
【０００８】
また本発明の吸水材１１を利用した無動力送液部は上記目的を達成するために、簡易な構成の送液手段として送液のために加える動力を必要としない無動力送液部として溶液を吸収する吸水材１１を利用したものであり、この手段により、小型化可能で消費電力の少ない簡易な構成の送液機構が得られる。
【０００９】
また本発明の静水圧を利用した無動力送液部は上記目的を達成するために、簡易な構成の送液手段として送液のために加える動力を必要としない無動力送液手段として静水圧を利用したものであり、この手段により、小型化可能で消費電力の少ない簡易な構成の送液機構が得られる。
【００１０】
また他の手段は上記目的を達成するために、被検知物質測定デバイス内に、流路もしくは流路に流通させるサンプル液を蓄えるための液溜め部に加わる圧力を変化させることのできる圧力増加部もしくは圧力減少部を配置したものであり、この手段により、小型化
可能で消費電力の少ない簡易な構成の送液機構が得られる。
【００１１】
また本発明のガス発生装置もしくはガス収縮装置を有した被検知測定デバイスは上記目的を達成するために、流路もしくは流路に流通させるサンプル液を蓄えるための液溜め部に加わる圧力を変化させることのできる圧力増加部もしくは圧力減少部をガス発生装置もしくはガス収縮装置で構成したものであり、この手段により、小型化可能で消費電力の少ない簡易な構成の送液機構が得られる。
【００１２】
また本発明の電気化学的方式を利用したガス発生装置を有した被検知物質測定デバイスは、流路もしくは流路に流通させるサンプル液を蓄えるための液溜め部に加わる圧力を変化させることのできる圧力増加部としてのガス発生装置に電気化学反応を利用したものであり、この手段により、小型化可能で消費電力の少ない簡易な構成の送液機構が得られる。
【００１３】
また本発明の可変構造と構造変化を調節する構造変化調節部を有した被検知物質測定デバイスは、流路もしくは流路に流通させるサンプル液を蓄えるための液溜め部に加わる圧力を変化させることのできる圧力増加部もしくは圧力減少部を構造的変形が制御可能な可変構造と可変構造を調節する構造変化調節部で構成したものであり、この手段により、小型化可能で消費電力の少ない簡易な構成の送液機構が得られる。
【００１４】
また本発明の形状記憶合金もしくはバイメタルを有した被検知物質測定デバイスは、構造的変形が制御可能な可変構造を熱変形可能な形状記憶合金もしくはバイメタルで構成したもので、この手段により、小型化可能で消費電力の少ない簡易な構成の送液機構が得られる。
【００１５】
また本発明の熱膨張もしくは熱収縮する媒体を充填した空間を有する被検知物質測定デバイスは、流路もしくは流路に流通させるサンプル液を蓄えるための液溜め部に加わる圧力を変化させることのできる圧力増加部もしくは圧力減少部を熱膨張もしくは熱収縮する媒体を充填した空間と、該媒体の温度を制御する機構で構成したもので、この手段により、小型化可能で消費電力の少ない簡易な構成の送液機構が得られる。
【００１６】
また本発明の電気泳動用電極を有した被検知物質測定デバイスは、被検知物質捕捉物質固定化領域に接した流路内に被検知物質を含む物質が電気泳動されるように電気泳動電極を設置したもので、この手段により、小型化可能で消費電力の少ない簡易な構成の送液機構が得られる。
【００１７】
また本発明の単独もしくは複数の流路内に流動切り替え手段と、該流動切り替え手段を制御する機構を有した被検知物質測定デバイスは、被検知物質捕捉物質固定化領域に接した流路に接続する単独もしくは複数の流路内に、流動切り替え手段と該流動切り替え手段を制御する機構を被検知物質測定デバイスに配置したものであり、この手段により、小型化可能で消費電力の少ない簡易な構成の液切り替え機構が得られる。
【００１８】
また他の手段は、単独もしくは複数の送液部につながる流路と被検知物質捕捉物質固定化領域に接した流路との接続状態を切替え可能とする治具と、被検知物質捕捉物質固定化領域に接した流路を移動させる機構を被検知物質測定デバイスに配置したものであり、この手段により、小型化可能で消費電力の少ない簡易な構成の液切り替え機構が得られる。
【００１９】
また他の手段では、複数の流路内に溶液の流動に対する抵抗を持った抵抗部を配置し、流路ごとに異なる抵抗をもつ抵抗部が配置されたものであり、この手段により、小型化可能で消費電力の少ない簡易な構成の溶液ごとに流速調節可能な液切り替え機構が得られる。
【００２０】
また他の手段では、複数の流路内に抵抗が変動する抵抗部と、該抵抗部の抵抗を調節する機構を設置したもので、この手段により、小型化可能で消費電力の少ない簡易な構成の溶液ごとに流速調節可能な液切り替え機構が得られる。
【発明の効果】
【００２１】
本発明によれば、被検知物質測定装置を携帯可能な小型装置にする効果のある消費電力の少ない簡易な構成の送液機構が提供できる。
【００２２】
また、測定後のサンプル液を容易に回収する効果のある消費電力の少ない簡易な構成の送液機構が提供できる。
【００２３】
また、測定後のサンプル液を容易に回収する効果のある消費電力の少ないより簡易な
構成の送液機構が提供できる。
【００２４】
また、送液ロスの少ない消費電力の少ないより簡易な構成の送液機構が提供できる。
【００２５】
また、送液ロスが少なく異なる断面形状の流路においても送液可能な消費電力の少ない送液機構が提供できる。
【００２６】
また、送液ロスが少なく異なる断面形状の流路においても送液可能であり、少ない消費電力で送液制御が可能な送液機構が提供できる。
【００２７】
また、消費電力の少ない簡易な構成の再使用可能な送液機構が提供できる。
【００２８】
また、消費電力の少ない簡易な構成で再使用可能で同時にサンプル液温度調節が可能な送液機構が提供できる。
【００２９】
また、消費電力の少ない簡易な構成で被検知物質のみを効率良く流動させ、非被検知物質による計測阻害効果を低減する事が可能となる。
【００３０】
また、消費電力の少ない簡易な構成の液切り替え機構が提供できる。
【００３１】
また、消費電力の少ない簡易な構成で溶液ごとの流動速度調節が可能な液切り替え機構が提供できる。
【００３２】
また、消費電力の少ない簡易な構成で溶液ごとの流動速度調節がより精密に行える液切り替え機構が提供できる。
【発明を実施するための最良の形態】
【００３３】
本発明の請求項１記載の発明は、被検知物質捕捉物質固定化領域に固定された被検知物質捕捉物質と溶液を反応させることによって被検知物質を被検知物質捕捉物質固定化領域に捕捉し、被検知物質の捕捉量を検出し被検知物質濃度を測定する被検知物質捕捉物質固定化領域に接して溶液を流す流路を配置した測定デバイスにおいて、動力を与えずに溶液を流動させる無動力送液部を有することを特徴とした被検知物質測定デバイスとしたものであり、無動力送液部によって生じる流動を利用することによって、従来のポンプを使用することなく簡易な構成で精度良く送液することを可能にする作用を有する。
【００３４】
また、無動力送液部がサンプル液を吸収する吸水材１１とした請求項１記載の被検知物質測定デバイスとしたものであり、吸水材１１でサンプル液を吸水することにより送液するもので、サンプル液と吸水材１１との接触タイミングと接触面積を制御し、または吸水材１１として使用する材質および吸水容量を選択する事で、従来のポンプを使用することなく簡易な構成で精度良く送液することを可能にする作用を有する。
【００３５】
また、静水圧により溶液を流動させる無動力送液部が流路に設置されていることを特徴とした請求項１記載の被検知物質測定デバイスとしたものであり、静水圧によって送液することにより簡易な構成で精度良く送液することを可能にする作用を有する。
【００３６】
また、被検知物質捕捉物質固定化領域に固定された被検知物質捕捉物質と溶液を反応させることによって被検知物質を被検知物質捕捉物質固定化領域に捕捉し、被検知物質の捕捉量を検出し被検知物質濃度を測定する被検知物質捕捉物質固定化領域に接して溶液を流す流路を配置した被検知物質測定デバイスにおいて、被検知物質捕捉物質固定化領域に接した流路につながる流路もしくは流路に流通させるサンプル液を蓄えるための液溜め部内に圧力増加部もしくは圧力減少部を備えた事を特長とする被検知物質測定デバイスとしたものであり、圧力増加部もしくは圧力減少部によって流路内に加えられる圧力を調節することによって、流路もしくは流路に流通させるサンプル液を蓄えるための液溜め部に内包されるサンプルが送液されるものであり、従来のポンプを使用することなく簡易な構成で精度良く送液することを可能にする作用を有する。
【００３７】
また、圧力増加部もしくは圧力減少部がガス発生装置もしくはガス収縮装置で構成される請求項４記載の被検知物質測定デバイスとしたものであり、ガス発生装置もしくはガス収縮装置によって流路内にガスが発生もしく流路内のガスが収縮することによって、流路内に圧力変化を発生させ、生じた圧力変化によってサンプル液を送液する事を可能にするものであり、異なる断面形状の流路における送液を可能にする作用を有し、従来のポンプを使用することなく簡易な構成で精度良く送液することを可能にする作用を有する。
【００３８】
また、送液部が電気化学的方式を利用したガス発生装置から構成される請求項５記載の被検知物質測定デバイスとしたものであり、電気化学的方式を利用したガス発生によって流路内に圧力を発生させ、サンプル液を送液するもので、従来のポンプを使用することなく簡易な構成で精度良く送液することを可能にする作用を有する。
【００３９】
また、圧力増加部もしくは圧力減少部を、形状が変形する可変構造と可変構造の変形を調節する構造変化調節部とで構成した事を特長とする被検知物質測定デバイスとしたものであり、可変構造の構造変化により流路内に圧力を発生させサンプル液を送液するもので、その可変構造の構造変化を調節することにより発生する圧力を調節し送液量を精度良く調節できるもので、従来のポンプを使用することなく簡易な構成で精度良く送液することを可能にする作用を有し、また送液部を反復して使用可能にする作用を有する。
【００４０】
また、可変構造自体もしくは可変構造の変形を調節する構造変化調節部が形状記憶合金もしくはバイメタルなどの熱変形物質で構成した被検知物質測定デバイスとしたものであり、構造変化調節部が形状記憶合金もしくはバイメタルの温度を調節することによって形状記憶合金もしくはバイメタルの形状を変化させ、形状記憶合金もしくはバイメタルの構造変化により流路内に圧力を発生させサンプル液を送液するものであり、形状記憶合金もしくはバイメタルの構造変化を構造変化調節部による温度の微調整によって調節し流路内の圧力を調節することで送液量を精度良く調節するもので、従来のポンプを使用することなく簡易な構成で精度良く送液することを可能にする作用を有し、送液部を反復して使用可能にする作用を有し、温度調節される形状記憶合金もしくはバイメタルの温度が流路内のサンプル液に伝わることによって、送液と同時にサンプル液温度を制御することを可能にする作用を有する。
【００４１】
また、可変構造自体もしくは可変構造の変形を調節する構造変化調節部が熱膨張もしくは熱収縮する媒体を充填した空間と、該媒体の温度を制御する機構から構成される被検知物質測定デバイスとしたものであり、構造変化調節部である媒体の温度を制御する機構によって媒体の温度が制御され、媒体の体積が変化し、媒体の体積変化が流路内に伝わることでサンプル液が送液されるものであって、構造変化調節部である媒体の温度を制御する機構が媒体の温度を調節することで媒体の体積変化を調節し送液量を精度良く調節することができるものであって、従来のポンプを使用することなく簡易な構成で精度良く送液することを可能にする作用を有し、送液部を反復して使用可能にする作用を有する。
【００４２】
また、被検知物質捕捉物質固定化領域に固定された被検知物質捕捉物質と溶液を反応させることによって被検知物質を被検知物質捕捉物質固定化領域に捕捉し、被検知物質の捕捉量を検出し被検知物質濃度を測定する被検知物質捕捉物質固定化領域に接して溶液を流す流路を配置した被検知物質測定デバイスにおいて、被検知物質捕捉物質固定化領域に接した流路内で被検知物質を含む物質が電気泳動されるように電気泳動用電極が配置されていることを特徴とし、電気泳動によって被検知物質を含む物質を被検知物質捕捉物質固定化領域に流動させる被検知物質測定デバイスとしたものであり、流路内に配置された電極間に電圧が印加されることによって、流路内のサンプル溶液に電圧が印加され、サンプル液が送液されること無くサンプル溶液内の被検知物質が被検知物質捕捉物質固定化領域に接した流路内を泳動するものであって、サンプル液を流動させること無く被検知物質のみを効率良く流動させるものであって、従来のポンプを使用することなく簡易な構成で精度良く被検知物質を被検知物質捕捉物質固定化領域と反応させることを可能にする作用を有する。
【００４３】
また、被検知物質捕捉物質固定化領域に固定された被検知物質捕捉物質と溶液を反応させることによって被検知物質を被検知物質捕捉物質固定化領域に捕捉し、被検知物質の捕捉量を検出し被検知物質濃度を測定する被検知物質捕捉物質固定化領域に接して溶液を流す流路を配置した被検知物質測定デバイスにおいて、単独もしくは複数の流路内に流動切り替え手段と、該流動切り替え手段を制御する機構を有することを特徴とした被検知物質測定デバイスとしたものであり、単独もしくは複数の流路内に設置された流動切り替え手段が流動切り替え手段を制御する機構によって制御され、流動切り替え手段によって流路内の流動が制御されることで送液されるサンプル液が切り替えられるものであって、従来の液切り替え装置を使用することなく簡易な構成で精度良く液切り替えることを可能にする作用を有する。
【００４４】
また、被検知物質捕捉物質固定化領域に固定された被検知物質捕捉物質と溶液を反応させることによって被検知物質を被検知物質捕捉物質固定化領域に捕捉し、被検知物質の捕捉量を検出し被検知物質濃度を測定する被検知物質捕捉物質固定化領域に接して溶液を流す流路を配置した被検知物質測定デバイスにおいて、単独もしくは複数の送液部につながる流路と被検知物質捕捉物質固定化領域に接した流路との接続状態を切替え可能とする治具と、被検知物質捕捉物質固定化領域に接した流路を移動させる事のできる流路移動調節部から構成され、被検知物質捕捉物質固定化領域に接した流路移動することで流路を切り替えることが可能な被検知物質測定デバイスとしたものであり、被検知物質捕捉物質固定化領域に接した流路を流路移動調節部によって移動させ、被検知物質捕捉物質固定化領域に接した流路と接続している流路を切り替えることで、被検知物質捕捉物質固定化領域に接した流路に送液されるサンプル液の切り替えを行うものであって、従来の液切り替え装置を使用することなくより簡易な構成で精度良く液切り替えることを可能にする作用を有する。
【００４５】
また、溶液の流動に対する抵抗を持った抵抗部を流路内に持ち、流路ごとに異なる抵抗をもつ抵抗部が配置されていることを特徴とした被検知物質測定デバイスとしたものであり、流路ごとに異なる抵抗を持った抵抗部によって、サンプル液が送液される際にそれぞれの流路における流動に対して異なる抵抗が発生し、流路ごとに異なる流速で送液されるものであり、より簡易な構成で送液される溶液ごとの流速を調節することが可能で精度良く液切り替えることを可能にする作用を有する。
【００４６】
また、流路内に抵抗が変動する抵抗部と、該抵抗部の抵抗を調節する機構を有する被検知物質測定デバイスとしたものであり、流路ごとに異なる抵抗を持った抵抗部によって、サンプル液が送液される際にそれぞれの流路における流動に対して異なる抵抗が発生し、流路ごとに異なる流速で送液されるもので、それぞれの流路に設置された抵抗部の抵抗を調節する機構によって抵抗部の抵抗が調節され、流路ごとにサンプル液の流動に対する抵抗が調節され、流路ごとにサンプル液が送液される流速が精度良く調節されるものであり、より簡易な構成で送液される溶液ごとの流速を調節することが可能で精度良く液切り替えることを可能にする作用を有する。
【００４７】
以下、本発明の実施の形態について図面を参照しながら説明する。
【００４８】
（実施の形態１）
図１に示すように、被検知物質捕捉物質１が固定化された被検知物質捕捉物質固定化領域２に接するように流路３が設置され、流路３は治具５から構成され、流路３にはサンプル液１０が導入される液流入口６および液流出口７を設けている。
【００４９】
図１が示す液流入口６上流の流路に被検知物質９を含んだサンプル液１０を充填させることで流路３にサンプル液１０を導入する。サンプル液１０を充填させる方法として、例えばピペットやシリンジなどで吸引したサンプル液１０を流路３に接続された液流入口６上流の流路に吐出する方法であったり、流路３から遊離させた状態の液流入口６上流の流路にサンプル液１０を充填させた後に、サンプル液１０が充填された流路を液流入口６に接続させる方法であってもかまわない。流路３と液流入口６上流の流路の接続状態を切り替える手段としては例えば流路３を構成する治具５をスライド移動させることで達成される。
【００５０】
ここで、流路３及び液流入口６上流もしくは液流出口７下流の流路は内径１ｍｍ以下のものであって、流路内をサンプル液が流動する際流路向きがいかなる方向であっても、サンプル液液面は表面張力によって流路に対して垂直に維持され、この垂直な液面が移動することでサンプル液の移動が起こる。
【００５１】
ここで、被検知物質捕捉物質１は、被検知物質９と特異的に結合する物質であり、例えば、抗体、ＤＮＡ、ＲＮＡプローブ、ペプチド、レセプター、レクチン、糖鎖、脂質やその他、抗原となりうるタンパク質や化学物質などであり、被検知物質捕捉物質固定化領域２に固定化することができる。被検知物質捕捉物質１の固定化する公知の方法としては、疎水性相互作用を用いた方法、金属表面に形成した単分子膜を介して共有結合させる方法、別のタンパク質の相互作用を利用した方法など、さまざまな方法が適用可能であるが、被検知物質捕捉物質１を被検知物質９に対する反応性を保ったまま固定化できる方法が適当である。また、被検知物質捕捉物質固定化領域２とは被検知物質９を測定するデバイスにおいて、前述の被検知物質捕捉物質１を被検知物質９に対する反応性を有したまま保持する領域であり、また該被検知物質捕捉物質固定化領域２において捕捉された被検知物質９を何らかの手段で信号に変換し、被検知物質９が定量されるものである。一例としては、被検知物質捕捉物質固定化領域２として使用される材質は、金や白金などの貴金属、カーボン、セラミックスなどの導電性の電極材料であり、メッキやスパッタなど公知の方法で形成され、この場合捕捉された被検知物質９は第２の被検知物質捕捉物質４によって酸化還元酵素の標識を受け、酸化還元電流値として電気信号に変換される。より具体的に一例をあげると、例えば、黄色ブドウ球菌が産生する毒素タンパク質であるエンテロトキシンが被検知物質９（抗原）として測定される。この場合、被検知物質補足物質１はエンテロトキシンに対する抗体である。抗体はモノクローナル抗体を使用してもポリクローナル抗体を使用してもよいが、高い結合特異性を有するモノクローナル抗体を使用することが望ましい。酵素を標識した第２の被検物質補足物質４としては、標識酵素としてＨＲＰ（西洋ワサビペロオキシターゼ）を結合させたもので、被検物質補足物質１として使用する抗体とは異なるエピトープを認識するエンテロトキシンに対する抗体が挙げられる。抗体はモノクローナル抗体を使用してもポリクローナル抗体を使用してもよいが、高い結合特異性を有するモノクローナル抗体を使用することが望ましい。ＨＲＰの基質となる物質は過酸化水素であり、酵素反応生成物は水である。このような過酸化水素センサ方式による測定方法の場合、フェロセンやその誘導体（フェロセンメタノールなど）をメディエータとして使用し、メディエータのレドックス反応を電気化学的反応の電気信号として検知される。なお、変換される信号は上記方法のような電気信号に限定されるものではなく、電気信号以外の方法であっても微量な信号を検出可能な方法であれば上記目的の被検知物質の測定が可能である。
【００５２】
また、流路３を構成する治具５として使用できる材質は、ガラス、セラミックス、合成樹脂などでありサンプル液１０自体と反応しないこと、すなわちサンプル液１０による治具５の変形や、治具５との接触によるサンプル液１０の変質が起こらない材質が必要となる。また、被検知物質９の非特異的吸着が低減されるように流路３内が処理されていることが望ましい。処理する方法としては、ＢＳＡやカゼインなどのタンパク質や界面活性剤や糖などの高分子の水溶液を一定時間反応させる方法が用いられる。治具５によって設けられた液流入口６および液流出口７の内径は流路３内径と同程度のものが望ましく、流路３内の流動方向に対して上流端と下流端に配置されていることが望ましいが、液流入口６および液流出口７の内径が流路内径と異なっていても流路内でのサンプル液の流動が一定方向に定められるように配置してあるものであれば上記目的の送液が達成される。
【００５３】
図１において流路３に導入されたサンプル液１０は送液手段としての無動力送液部８によって生じる液移動によって送液され、サンプル液１０中に含まれる被検知物質９が被検知物質捕捉物質１と反応し捕捉される。ここでいう無動力送液部８とは、流路３内のサンプル液１０を無動力で送液する手段を構成する送液機構であり、無動力で送液する手段とは外部から圧力を加えたり流路３内の内部圧力を高める手段などの動力を有する機構を必要としない送液手段であり、流路３内の体積変化や流路を構成する治具５の変形を伴わない送液手段のことをさす。
【００５４】
上記構成によって送液のために動力を加える必要がない簡易な構成の送液機構が得られ、複雑な機構部を必要としないため、被検知物質測定デバイスの小型軽量化が可能となる。
【００５５】
なお、送液時に流路３内に加えられる圧力が無い為、液流入口６および液流出口７で形成され得る隙間や、流路３内に存在し得る構造的脆弱部によって生じるサンプル液１０の液漏れや流動遅延の発生が防止される。この為再現性高く精度良く送液されることが可能となる。
【００５６】
（実施の形態２）
図２は無動力送液手段を満たす吸水材１１を使用することを特徴とした本発明の被検知物質測定デバイスの構成を示す。実施の形態１と同じものについては同一の符号を付し、詳細な説明を省略する。図２に示すように吸水材１１を被検知物質測定デバイス内の液流出口７下流に配置してある。ここで実施の形態1に示した方法でサンプル液１０を流路３に充填させ、サンプル液１０の液面を吸水材１１に接するまで移動させ吸水材１１によってサンプル液１０が吸収され始めることによって送液が開始される。ここで、サンプル液１０の液面を吸収材に接するまで移動させる手段としては、例えばサンプル液１０を流路に充填させる際に使用するピペットやシリンジによって押し出す方法であったり、静水圧を利用してサンプル液１０が吸収材に接するまで移動させる方法がある。また吸水材１１に吸水される液の許容量が流路内体積に対して大きくなるようにする事で吸水材１１による吸水作用によって液流入口６から液流出口７に向かう液移動が生じ、サンプル液１０が送液され、サンプル液１０中に含まれる被検知物質９が被検知物質捕捉物質１と反応し捕捉される。被検知物質補足物質固定化領域２に接した流路３を被検知物質測定デバイス内の吸水材１１に接した流路に接続する方法としては、例えば流路３を構成する治具５を移動させることによって達成され、治具５を移動させる手段としては動力を必要とする機構部であっても、動力を必要としない簡易な方法であってもかまわない。
【００５７】
ここで、吸水材１１として使用される材質は吸水紙、綿状パルプ、吸水性の合成ポリマーや天然高分子であり、吸水材１１内に溶液が保持されるものであっても順次気化消失していくものでも構わない。
【００５８】
なお、吸水材１１に回収されたサンプル液を気化消失させることで、吸水材１１として繰り返し使用することが可能であるが、繰り返し使用する場合吸水材１１の吸水許容量は流路内体積に比べて大きく、再使用による吸水性の劣化が少ないものが望まれ、吸水性の劣化がないものであればなお良い。
【００５９】
なお、反応終了後、無動力送液部としての吸水材１１を回収することで測定後のサンプル液を容易に回収することができ、毒性のある生体試料や汚染された溶液を計測した場合、危険性のあるサンプル溶液を飛散することなく分別回収することが可能となる。
【００６０】
（実施の形態３）
図３は、無動力送液手段として静水圧を利用した本発明の被検知物質測定デバイスの構成を示した図である。実施の形態１と同じものについては同一の符号を付し、詳細な説明を省略する。
【００６１】
液流入口６に接続された流路の上流部に液上面１２が来るように配置し、液流出口７に接続された流路の下流部に液下面１３がくるように流路３を配置し、液下面１３下流の流路には流路の開閉を行うことのできる流路蓋１４を配置してある。ここで実施の形態１に示した方法でサンプル液１０を流路３に導入した際、流路蓋１４を閉鎖した状態にすると流路３内のサンプル液１０の流動は起こらないが、流路蓋１４を開口した状態にすると液上面１２と液下面１３の高低差によって生じる静水圧によって流路３内のサンプル液１０の流動が起こる。また、流路蓋１４によって流路の開閉を調節することで流路３に導入されたサンプル溶液１０の流動を調節することができる。上記方法によってサンプル液１０の流動が起こることによって、サンプル溶液１０中の被検知物質９が被検知物質捕捉物質１と反応し捕捉される。
【００６２】
ここで、流路蓋１４の開閉を調節する手段としては、例えば動力を必要とする機構を用いても、動力を必要としない簡易な構成の機構を用いても、手動で行ってもかまわない。
【００６３】
なお、流路３と液流入口６上流の流路と液流出口７下流の内径は、流路蓋１４を開口した場合に発生する静水圧によって流路３内のサンプル液１０が流動できる程度大きく、流路３内のサンプル液１０の液面が重力によって乱れない程度小さい事が要求される。
【００６４】
なお、液流入口６と液流出口７に接続された液流入口６上流の流路と液流出口７下流の流路それぞれに開口部と流路を開閉する蓋が設けられていても流路３内のサンプル液１０の流動を調節することができ、また、液流入口６と液流出口７に接続された液流入口６上流の流路と液流出口７下流の両流路が連結されていても、流路蓋１４の替わりとなるような流路を閉塞させる手段が流路内に設けてあれば、流路３内のサンプル液１０の流動を調節できる。
【００６５】
なお上記構成において、流路３に接続される液流入口６上流の流路と液流出口７下流の流路の配置を変える事によって、液上面１２と液下面１３の高低差を調節することができ、液上面１２と液下面１３の高低差を調節することによって送液されるサンプル液１０の流速や液量を調節することが可能となり、簡易に送液容量を調節可能な手段となり得る。
【００６６】
なお、流路３に接続される液流入口６上流の流路と液流出口７下流の流路の配置を変える手段としては、例えば流路３を構成する治具５を動かす手段であったり、流路３に接続される液流入口６上流の流路と液流出口７下流の流路を動かす手段であっても流路の接続を維持できる方法であれば上記目的の送液が達成できる。
【００６７】
（実施の形態４）
図４は、本発明の該測定デバイスに接する流路につながる流路もしくは液溜め部に圧力増加部もしくは圧力減少部を設置したことを特長とする被検知物質測定デバイスの構成を示したものである。実施の形態１と同じものについては同一の符号を付し、詳細な説明を省略する。
【００６８】
図４において、実施の形態１に示した方法でサンプル液１０を流路３に導入した際、送液のために必要な流路３内のサンプル液１０に加えられる圧力を変化させることのできる圧力増加部１５もしくは圧力減少部１６が液流入口６の上流もしくは液流出口７の下流に接続された流路に配置されている。液流入口６の上流に配置された圧力増加部１５によって流路３と液流入口６の上流と液流出口７の下流に接続された流路内のサンプル液１０に加えられる圧力が増加し、サンプル液１０が液流入口６から液流出口７方向に押し出され、サンプル液１０が流路３と液流入口６の上流と液流出口７の下流に接続された流路内を送液される。
【００６９】
また、液流出口７の下流に配置された圧力減少部１６によって流路３と液流入口６の上流と液流出口７の下流に接続された流路内のサンプル液１０に加えられる圧力が減少し、サンプル液１０が液流入口６から液流出口７方向に吸引され、サンプル液１０が流路３と液流入口６の上流と液流出口７の下流に接続された流路内を送液される。
【００７０】
上記構成において、サンプル液１０が送液され、被検知物質９が被検知物質捕捉物質１と反応し捕捉される。
【００７１】
ここで、圧力増加部１５もしくは圧力減少部１６は流路内に設置される必要があり、圧力増加部１５もしくは圧力減少部１６による圧力変化によって流路３と液流入口６の上流と液流出口７の下流に接続された流路が変形することがない性質を持つことが必要とされる。
【００７２】
なお、上記構成において圧力増加部１５と圧力減少部１６を構成するものとしては、例えば流路内にガスを発生させる装置であったり、流路内のガスを収縮させる装置であったりする。
【００７３】
なお、上記構成において圧力増加部１５と圧力減少部１６を構成する材質の性状は、塑性変化を起こすものであっても弾性変化を起こすものであっても変化を調節することが可能であれば、上記目的の送液を達成することができる。
【００７４】
なお、上記構成において液流入口６の上流に配置された圧力増加部１５の圧力変化によっておこるサンプル液１０の送液方向を液流入口６から液流出口７への方向にするためには、液流入口６の上流の流路が閉鎖されていることが望ましく、液流出口の下流の流路が開放されていることが望ましいが、上流下流とも開放されていた場合でもサンプル液１０の流動に対する抵抗が流路下流よりも流路上流で高くなっておりサンプル液１０がより下流方向に流動しやすくなっていれば上記目的の送液が達成される。
【００７５】
なお、上記構成において液流出口７の下流に配置された圧力減少部１６の圧力変化によっておこるサンプル液１０の送液方向を液流入口６から液流出口７への方向にするためには、液流出口７の下流の流路が閉鎖されていることが望ましく、液流入口６の上流の流路が開放されていることが望ましい、上流下流とも開放されていた場合でもサンプル液１０の流動に対する抵抗が流路下流よりも流路上流で高くなっておりサンプル液１０がより下流方向に流動しやすくなっていれば上記目的の送液が達成される。
【００７６】
上記構成を用いることで簡易な構成で精度良く送液することが可能な送液機構ができ、携帯可能な小型の被検知物質測定デバイスを提供することが可能になる。
【００７７】
（実施の形態５）
図５は、実施の形態４に記載した液流入口６の上流の流路内部に配置された圧力増加部１５をガス発生装置１７で構成した被検知物質測定デバイスを示す。ここで実施の形態１と同じものについては同一の符号を付し、詳細な説明を省略する。
【００７８】
図５において、実施の形態１に示した方法でサンプル液１０を流路３に導入した際、ガス発生装置１７からガスが発生することによって流路３と液流入口６の上流と液流出口７の下流に接続された流路内のサンプル液１０が押し出され、サンプル液１０が送液される。
【００７９】
ここでガス発生装置１７としては化学反応で固形物質からガスを発生させる装置であったり、化学反応や温度変化を利用して液体からガスを発生させる装置であったり、圧縮した気体を放出する装置であったりする。
【００８０】
図６は、実施の形態４に記載した液流出口７の下流の流路内に配置された圧力減少部１６をガス収縮装置１８で構成したものを示す。
【００８１】
ガス収縮装置１８によって液流出口７の下流の流路内にある気体が収縮することによって流路３と液流入口６の上流と液流出口７の下流に接続された流路内のサンプル液１０が液流入口６から液流出口７方向に吸引され、サンプル液１０が送液される。
【００８２】
ここでガス収縮装置１８としては冷却することでガスを液化する装置であったり、２種類のガスを混合し１種類のガスに変換する装置であったり、冷却することでガスの体積を収縮させる装置であったりする。
【００８３】
なお上記のガス発生装置１７やガス収縮装置１８を有した被検知物質測定デバイスの構成において、発生するガスまたは溶液が液流入口６上流の流路や液流出口７下流の流路や流路３を構成する治具５やサンプル液１０と反応しない性状、すなわち流路内壁や治具５やサンプル液１０を変性させたりサンプル液１０内に溶解したりしない性状を持つことが要求される。
【００８４】
なお、圧力増加部１５や圧力減少部１６を構成する圧力変化を起こす主体がガスや液体であるため、あらゆる断面形状の流路であっても上記目的の送液が可能である。
【００８５】
上記構成を用いることで簡易な構成で精度良く送液することが可能で異なる形状の流路に対応可能な送液機構ができ、携帯可能な小型の被検知物質測定デバイスを提供することが可能になる。
【００８６】
（実施の形態６）
図７は、実施の形態５に記載したガス発生装置１７として電気化学方式ガス発生装置１９で構成された被検知物質測定デバイスを示す。ここで実施の形態１と同じものについては同一の符号を付し、詳細な説明を省略する。
【００８７】
図７において、実施の形態１に示した方法でサンプル液１０を流路３に導入した際、実施の形態５に示したのと同様の方法によって、電気化学方式ガス発生装置１９によってガスが発生することによって流路内の圧力が増加し、増加した圧力によって流路３と液流入口６の上流と液流出口７の下流に接続された流路内のサンプル液１０が押し出され、サンプル液１０が送液される。
【００８８】
ここで、電気化学方式ガス発生装置１９とは動電性材料からなる電極で構成され電気化学的に液体を気体に変換できる装置であり、通常は白金電極を用いて水を電気化学分解し、水素を発生させる。また、ガス発生に利用する溶液として被検知物質を含んだ反応溶液自身を使用する場合とガス発生専用の溶液を流路内にあらかじめ充填しておく場合のどちらでもかまわない。
【００８９】
なお、電気化学方式ガス発生装置１９をガスから液体に電気化学的に変換する事で圧力減少部１６として利用してもかまわないが、この場合電気化学方式ガス発生装置１９は液流出口７の下流に設置する必要がある。
【００９０】
なお、電気化学方式ガス発生装置１９に使用する電極は流路内に形成されている要求されるが、溶液と接するように配置されていれば上記目的の送液手段としての目的を達成することができる。
【００９１】
なお実施の形態５記載と同様、圧力変化を生じさせる主体がガスであるため、あらゆる断面形状の流路に対応可能である。
【００９２】
上記構成を用いることで簡易な構成で精度良く送液することが可能で異なる断面形状の流路に対応可能で送液制御が電流で容易に行える送液機構ができ、携帯可能な小型の被検知物質測定デバイスを提供することが可能になる。
【００９３】
また、サンプル液１０をガスに変換した場合、サンプル液１０中の被検知物質９濃度が濃縮される事によって、より低濃度の被検知物質９も検知可能となる。
【００９４】
（実施の形態７）
図８、９、１０は、実施の形態４で示した圧力増加部１５もしくは圧力減少部１６を、流路もしくは流路に流通させるサンプル液を溜める液溜め部の一部に構造的変形可能な可変構造と、該可変構造の構造変化を調節する構造変化調節部を配置する事で構成した被検知物質測定デバイスを示す。ここで実施の形態１と同じものについては同一の符号を付し、詳細な説明を省略する。
【００９５】
図８において、圧力増加部１５としての機能を持つ可変構造２０と可変構造２０の構造変化を調節する構造変化調節部２１が、液流入口６上流の流路に配置してある。
【００９６】
図８において、実施の形態１に示した方法でサンプル液１０を流路３に導入した際、構造変化調節部２１が可変構造２０を変形させることによって液流入口６上流の流路内の圧力が変化し、変化した圧力によって流路内のサンプル液１０が送液される。
【００９７】
図８においては、可変構造２０と可変構造２０の構造変化を調節する構造変化調節部２１を液流入口６上流の流路に配置し、圧力増加部１５として作用させ、流路内のサンプル液１０を液流入口６から液流出口７方向へ押し出す用に圧力を増加させることによってサンプル液１０を送液する場合を示したが、可変構造２０と可変構造２０の構造変化を調節する構造変化調節部２１を液流出口７下流の流路に配置し、圧力減少部１６として作用させ、流路内の流路内のサンプル液１０を液流入口６から液流出口７方向へ吸引する様に圧力を減少させることによってサンプル液１０を送液してもかまわない。
【００９８】
上記構成において、構造変化調節部２１によって制御された可変構造２０の構造変化が流路内の圧力を変化させ、実施の形態４に記載の送液手段と同様の作用で送液されるが、ここで可変構造２０とは、シリコンやゴムなどの容易に形状を変化させることが可能な材質である必要がありこの構造変化は塑性変化であっても、弾性変化であってもかまわない。
【００９９】
また、該可変構造２０は流路や液溜め部のサンプル液１０と接するところに配置される必要があるが、流路もしくは液溜め部すべてを構成する必要はなく、送液に必要とされる圧力変化を流路もしくは液溜め部内に導くことができるものであれば、流路もしくは液溜め部の一部であってもかまわない。構造変化調節部２１とは、可変構造２０に外圧をくわえ形状を変化させることのできる機能を持ち可変構造２０の変形を調節することが可能なものとする。
【０１００】
なお、構造変化調節部２１によって可変構造２０に加えられる構造変化の手段としては例えば図９に示したようにゴムのような弾性を有した材質で構成された流路にねじり運動を加える手段があるが、その他の方法でゴムのような弾性を有した材質で構成された可変構造２０を変形させ圧力を発生させた場合であっても構造変化調節部２１によって可変構造２０による圧力変化が調節される場合は上記目的の送液が可能となる。
【０１０１】
図１０は、構造変化調節部２１がローラー部２２を介して可変構造２０を構造変化させる構成を示す。ローラー部２２は、図１０のように流路の一部を構成する可変構造２０よりも狭い間隔で並列された１対以上の車輪で構成さる。図１０においては、可変構造２０と可変構造２０の構造変化を調節する構造変化調節部２１を液流入口６上流の流路に配置し圧力増加部として作用させ、ローラー部２２を構成する車輪対の間に形成される間隙に可変構造２０が狭窄されることによって流路内のサンプル液１０を液流入口６から液流出口７方向へ押し出す用に圧力を増加させることによってサンプル液１０を送液する場合を示したが、可変構造２０と可変構造２０の構造変化を調節する構造変化調節部２１を液流出口７下流の流路に配置し、圧力減少部として作用させ、流路内の流路内のサンプル液１０を液流入口６から液流出口７方向へ吸引する様に圧力を減少させることによってサンプル液１０を送液してもかまわない。ここで、ローラー部２２はゴムやシリコンなど容易に変形することが可能な材質で出来た可変構造２０を挟み込むことで可変構造２０を構造変化させる機能をもち、可変構造２０よりも高い硬度の材質であることが要求される。また、このように構造変化調節部２１がローラー部２２のような機構部を調節することで間接的に可変構造２０の形状を変化させる場合であっても、構造変化調節部２１と可変構造２０が一体となって形成されていて流路内の圧力変化が制御される場合、上記目的の送液が達成される。
【０１０２】
なお実施の形態５記載の手段同様、上記構成の図８、９、１０において液流入口６の上流に配置された圧力増加部１５の圧力変化によっておこるサンプル液１０の送液方向を液流入口６から液流出口７への方向にするためには、液流入口６の上流の流路が閉鎖されていることが望ましく、液流出口の下流の流路が開放されていることが望ましいが、上流下流とも開放されていた場合でもサンプル液１０の流動に対する抵抗が流路下流よりも流路上流で高くなっておりサンプル液１０がより下流方向に流動しやすくなっていれば上記目的の送液が達成される。
【０１０３】
上記構成を用いることで簡易な構成で精度良く送液することが可能な送液機構ができ、携帯可能な小型の被検知物質測定デバイスを提供することが可能になる。
【０１０４】
（実施の形態８）
図１１は、実施の形態７記載の可変構造２０を熱変形可能な形状記憶合金もしくはバイメタルで構成したことを特徴とする被検知物質測定デバイスを示す。ここで実施の形態１と同じものについては同一の符号を付し、詳細な説明を省略する。
【０１０５】
図１１において構造変化調節部２１は形状記憶合金もしくはバイメタルで構成される可変構造２０の温度を調節する温度制御機能を有しており、形状記憶合金もしくはバイメタルで構成された可変構造２０とともに液流入口６上流の流路に配置してある。
【０１０６】
図１１において、実施の形態１に示した方法でサンプル液１０を流路３に導入した際、構造変化調節部２１の温度制御機能により形状記憶合金もしくはバイメタルで構成された可変構造２０の温度が制御され、温度依存的に形状記憶合金もしくはバイメタルが変形することで液流入口６上流の流路内の圧力が変化し、変化した圧力によって流路内のサンプル液１０が送液される。また、構造変化調節部２１によって可変構造２０である形状記憶合金もしくはバイメタルの温度を微調節することで、より精密に流路もしくは液溜め部内の圧力変化を精密に調節することができ、より精度の高い送液が可能になる。ここで、通常使用されるこのような温度制御機能を有した装置としてペルチェ素子のような電熱変換素子を有した装置が利用されるが、その他一定熱量を発生もしくは吸熱させる機構であれば、可変構造である形状記憶合金もしくはバイメタルの構造変化を調節することができ、上記目的の送液が可能である。
【０１０７】
図１１においては、形状記憶合金もしくはバイメタルで構成される可変構造２０と可変構造２０の構造変化を調節する構造変化調節部２１を液流入口６上流の流路に配置し、圧力増加部１５として作用させ、流路内のサンプル液１０を液流入口６から液流出口７方向へ押し出すように圧力を増加させることによってサンプル液１０を送液する場合を示したが、形状記憶合金もしくはバイメタルで構成される可変構造２０と可変構造２０の構造変化を調節する構造変化調節部２１を液流出口７下流の流路に配置し、圧力減少部１６として作用させ、流路内の流路内のサンプル液１０を液流入口６から液流出口７方向へ吸引する様に圧力を減少させることによってサンプル液１０を送液してもかまわない。
【０１０８】
なお実施の形態５記載の手段同様、上記構成の図８、９、１０において液流入口６の上流に配置された圧力増加部１５の圧力変化によっておこるサンプル液１０の送液方向を液流入口６から液流出口７への方向にするためには、液流入口６の上流の流路が閉鎖されていることが望ましく、液流出口の下流の流路が開放されていることが望ましいが、上流下流とも開放されていた場合でもサンプル液１０の流動に対する抵抗が流路下流よりも流路上流で高くなっておりサンプル液１０がより下流方向に流動しやすくなっていれば上記目的の送液が達成される。
【０１０９】
上記構成を用いることで簡易な構成で精度良く送液することが可能な送液機構ができ、携帯可能な小型の被検知物質測定デバイスを提供することが可能になる。
【０１１０】
また、流路もしくは液溜め部の一部に配置された形状記憶合金もしくはバイメタルが温度調節されることから、流路内のサンプル液１０および被検知物質測定デバイス自体の温度を調節することが可能となる。これらの被検知物質測定装置における測定精度において、温度変化の寄与するバラツキは大きいため、サンプル液１０と被検知物質測定デバイス自体の温度を制御することは測定精度を増すために重要であると考えられる。したがって、上記構成において、サンプル液１０の送液と温度調節を同時に効率良く行なうことで被検知物質測定デバイスの構成を簡易的なものにし精度良く被検知物質を測定することが可能となる。
【０１１１】
（実施の形態９）
図１２は、実施の形態７記載の可変構造２０を有する送液手段として可変構造２０と可変構造２０の変形を調節する構造変化調節部２１の間に、熱膨張もしくは熱収縮する媒体２３を充填した外壁部２４を配置した被検知物質測定デバイスの構成を示す。ここで実施の形態１と同じものについては同一の符号を付し、詳細な説明を省略する。
【０１１２】
図１２において、可変構造２０と構造変化調節部２１と媒体２３と外壁部２４は液流入口６上流の流路に配置されている。
【０１１３】
図１２において、実施の形態１に示した方法でサンプル液１０を流路３に導入した際、構造変化調節部２１は媒体２３の温度を制御することができ、構造変化調節部２１によって外壁部２４内の媒体２３の温度が制御されることで、媒体２３が温度依存的に体積を変化させ、可変構造２０に加わる圧力が変化し、液流入口６上流の流路内の圧力が変化し、変化した圧力によって流路内のサンプル液１０が送液される。
【０１１４】
また、構造変化調節部２１が媒体２３の温度を調節することで媒体２３の温度依存的体積変化を調節することが可能となり、より精度良く可変構造２０に加えられる圧力を調節することができ、精度良く送液を調節することができるようになる。
【０１１５】
ここで、可変構造２０としては、実施の形態７に示したようにシリコンやゴムなどの外圧を加えることによって容易に形状を変化させることが可能な材質が要求される。また、媒体２３は、温度依存的に体積が変化する気体もしくは液体であることが要求される。また、外壁部２４は温度依存的に構造変化しにくい材質であることが要求され、媒体２３が漏れ出さないように閉鎖されていることが要求される。なお、閉鎖性を有していれば、可変構造２０と外壁部２４が一体成形されていてもかまわない。また、構造変化調節部２１としては、実施の形態８に記載した手段と同様に温度調節可能な機構を有したものが要求される。なお、外壁部２４は構造変化調節部２１による媒体２３の温度調節が速やかに行なわれるように、温度変化しやすい材質であることが望ましく、外壁部２４に要求される閉鎖性を有していれば、外壁部２４が構造変化調節部２１で構成されていてもかまわない。この場合、構造変化調節部２１によって直接媒体２３が温度調節される為、より迅速に調節可能となり、構成もより簡易となる。
【０１１６】
図１２においては、可変構造２０と構造変化調節部２１と媒体２３と外壁部２４を液流入口６上流の流路に配置し、圧力増加部１５として作用させ、流路内のサンプル液１０を液流入口６から液流出口７方向へ押し出す用に圧力を増加させることによってサンプル液１０を送液する場合を示したが、可変構造２０と構造変化調節部２１と媒体２３と外壁部２４を液流出口７下流の流路に配置し、圧力減少部１６として作用させ、流路内の流路内のサンプル液１０を液流入口６から液流出口７方向へ吸引する様に圧力を減少させることによってサンプル液１０を送液してもかまわない。
【０１１７】
なお、実施の形態５記載の手段同様、上記構成の図１２において液流入口６の上流に配置された可変構造２０と構造変化調節部２１と媒体２３と外壁部２４によってもたらされる圧力変化によっておこるサンプル液１０の送液方向を液流入口６から液流出口７への方向にするためには、液流入口６の上流の流路が閉鎖されていることが望ましく、液流出口の下流の流路が開放されていることが望ましいが、上流下流とも開放されていた場合でもサンプル液１０の流動に対する抵抗が流路下流よりも流路上流で高くなっておりサンプル液１０がより下流方向に流動しやすくなっていれば上記目的の送液が達成される。
【０１１８】
上記構成を用いることで簡易な構成で精度良く送液することが可能な送液機構ができ、携帯可能な小型の被検知物質測定デバイスを提供することが可能になる。
【０１１９】
また、実施の形態８記載の理由と同様に媒体２３の温度調節を通じてサンプル液１０の温度調節が可能であり、サンプル液の送液と温度調節を同時に効率良く行なう手段となり、より簡易で安価な材質で構成される機構部を作ることが可能となる。
【０１２０】
（実施の形態１０）
図１３は、測定デバイス内で被検知物質を含む物質が電気泳動されるように電気泳動用電極が配置されている被検知物質測定デバイスの構成を示している。ここで実施の形態１と同じものについては同一の符号を付し、詳細な説明を省略する。
【０１２１】
流路３の液流入口６の上流と液流出口７の下流に電気泳動用電極の−極２５と＋極２６が設置され、流路３内のサンプル液１０に泳動電圧を加えることができる。図１３において、実施の形態１に示した方法でサンプル液１０を流路３に導入した際、−極２５と＋極２６間に電圧が印加されることによって流路３内のサンプル液１０中に含まれる電化をおびた被検知物質９が誘電泳導され、サンプル液１０が流動することなく流路３内を移動する。サンプル液１０が流動することなく被検知物質９が泳導されることによって被検知物質９が被検知物質捕捉物質１と反応し被検知物質捕捉物質固定化領域２に捕捉される。また、−極２５と＋極２６間に印加される電圧が調節されることによって、被検知物質９の泳導速度が調節され、より精度良く被検知物質９と被検知物質捕捉物質１との反応が調節される。
【０１２２】
ここで、−極２５と＋極２６の配置が逆となってもかまわないが、サンプル液１０に接するように流路内に配置して有ることが要求され、サンプル液１０が−極２５と＋極２６の間に空包が入るなどして断絶されないように配置されることが要求される。
【０１２３】
上記構成において、複雑な機構部を必要とせず流路の体積変化も必要としない簡易で小型化可能な測定デバイスが作成可能となる。
【０１２４】
（実施の形態１１）
図１４，１５，１６，１７，１８，１９、２０は単独もしくは複数の流路内に流動切り替え手段と、該流動切り替え手段を制御する機構を有する測定デバイスの構成を示す。ここで実施の形態１と同じものについては同一の符号を付し、詳細な説明を省略する。
【０１２５】
図１４において、複数の流路が統合された統合流路部２７が被検知物質捕捉物質固定化領域へ流通する流路３に流通するように配置されており、液溜め部Ａ３０、液溜め部Ｂ３１、液溜め部Ｃ３２に流通する複数の流路が統合流路部２７と結合する箇所に、それぞれ流動切替え部２８が配置され、流動切替え部２８を制御する切替え手段制御部２９が設けてある。
【０１２６】
図１４において、実施の形態１に示した方法でサンプル液１０を液溜め部Ａ３０、液溜め部Ｂ３１、液溜め部Ｃ３２および統合流路部２７に導入した際、切替え手段制御部２９によって流動切替え部２８が制御され、各液溜め部Ａ３０〜Ｃ３２に流通する流路と統合流路部２７との流通状態が切替えられる。図１４は液溜め部Ａ３０と統合流路部２７との流通が可能な状態で、液溜め部Ｂ３１と液溜め部Ｃ３２は統合流路部２７と流通していない状態を示している。上記流通状態において、実施の形態１〜１０記載のいずれかの手段によって送液された場合、液溜め部Ａ３０内の溶液のみ流路３内に送液され、液溜め部Ｂ３１と液溜め部Ｃ３２内の溶液は液溜め部内に保持される。また、切替え手段制御部２９によって液溜め部Ｂ３１と統合流路部２７との流通が開放され、液溜め部Ａ３０と液溜め部Ｃ３２の流通が閉鎖され、実施の形態１〜１０記載のいずれかの手段によって送液された場合、液溜め部Ｂ３１内の溶液のみ流路３内に送液され液溜め部Ａ３０と液溜め部Ｃ３２内の溶液は液溜め部内に保持される。同様にして液溜め部Ｃ３２との流通のみ開放することによって液溜め部Ｃ３２内の溶液のみ流路３内に流動する。以上のようにして、切替え手段制御部２９が各流路に配置された流動切替え部２８を制御することによって、各流路と統合流路部２７との流通状態が切り替えられ、流路３に送液される溶液を簡易に迅速に切替えることが可能となる。
【０１２７】
ここで、各流路の流通状態を切り替える流動切替え部２８と流動切替え部２８を制御する切替え手段制御部２９として使用されるものとしては、電磁弁など電気信号で開閉を制御できるものであっても、ゴムやシリコンのチューブを挟み込むことで流路を遮断する方法であっても、流路内のサンプル液１０と反応してサンプル液１０を劣化させるもので無ければ、上記目的の溶液切り替えが達成される。
【０１２８】
図１５において、各液溜め部Ａ３０〜Ｃ３２内には実施の形態５に記載の送液手段としてのガス発生装置１７が設置されており、各ガス発生装置によるガス発生状態は切替え手段制御部２９によって制御される。図１５において、実施の形態１に示した方法でサンプル液１０を液溜め部Ａ３０、液溜め部Ｂ３１、液溜め部Ｃ３２および統合流路部２７に導入した際、各液溜め部Ａ３０〜Ｃ３２と統合流路部２７は常に流通状態にあるが、切替え手段制御部２９によって液溜め部Ａ３０内のガス発生装置１７がガスを発生し、液溜め部Ｂ３１と液溜め部Ｃ３２内のガス発生装置がガスを発生しないように制御されることで、液溜め部Ａ３０内の溶液のみが統合流路部２７に送液される。同様にして、送液手段としてのガス発生が単独の液溜め部内で生じ他の液溜め部内では生じないように切替え手段制御部２９によって制御されることで、単独の液溜め部内の溶液のみが統合流路部２７に送液され流路３内に送液さる。このようにして、切替え手段制御部２９によって送液される液溜め部Ａ３０〜液溜め部Ｃ３２が切り替えられることによって、流路３に送液される液が切り替えられる。
【０１２９】
図１６は図１５とほぼ同じ構成を示すが、各液溜め部内に設置されたガス発生装置１７のガス発生能が液溜め部Ａ３０〜液溜め部Ｃ３２で異なるように配置された構成を示す。
【０１３０】
図１６において、実施の形態１に示した方法でサンプル液１０を液溜め部Ａ３０、液溜め部Ｂ３１、液溜め部Ｃ３２および統合流路部２７に導入した際、切替え手段制御部２９によって制御される液溜め部Ａ３０内のガス発生装置１７は、液溜め部Ｂ３１と液溜め部Ｃ３２内に配置されたガス発生装置１７よりもガス発生能が高いものとして設置されており、切替え手段制御部２９によって液溜め部Ａ３０内のガス発生装置がガスを発生し液溜め部Ｂ３１と液溜め部Ｃ３２内に配置されたガス発生装置がガスを発生しないように制御され液溜め部Ａ３０内の溶液が送液される場合、液溜め部Ｂ３１内のガス発生装置１７のみがガスを発生するように制御され液溜め部Ｂ３１内の溶液が送液される場合もしくは同様にして液溜め部Ｃ３２内の溶液が送液される場合に比べて、早い流速で送液される。このようにして、複数の液溜め部内にガス発生能が異なるガス発生装置１７を配置することによって、複数の液溜め部内の溶液ごとに異なる流速で送液され送液される溶液が切り替えられる。
【０１３１】
図１７は、実施の形態７記載の送液手段としての可変構造２０が該統合流路部２７に統合される複数の流路の一部に形成され、可変構造２０の構造変化を調節する構造変化調節部２１が可変構造２０に接して配置され、各構造変化調節部２１が切替え手段制御部２９によって制御される構成を示す。図１６同様に、実施の形態１に示した方法でサンプル液１０を液溜め部Ａ３０、液溜め部Ｂ３１、液溜め部Ｃ３２および統合流路部２７に導入した際、統合流路部２７に接続された複数の流路は常に流通状態であるが、切替え手段制御部２９によって単独の流路に配置された可変構造２０のみに変形が加えられることによって、実施の形態７記載の方法で変形された可変構造２０が配置された流路内の溶液のみが送液され、切替え手段制御部２９によって変形される可変構造が切り替えられることによって、実施の形態７記載の方法で送液される液が切り替えられる。
【０１３２】
図１８は、実施の形態７記載の可変構造２０がローラー部２２を介して構造変化調節部２１によって変形される複数の流路が統合流路部２７に流通するように配置された被検知物質測定デバイスの構成を示す。図１７と同様に、実施の形態１に示した方法でサンプル液１０を液溜め部Ａ３０、液溜め部Ｂ３１、液溜め部Ｃ３２および統合流路部２７に導入した際、統合流路部２７に接続された複数の流路は常に流通状態であるが、切替え手段制御部２９によって単独の流路に配置された可変構造２０のみに変形が加えられることによって、実施の形態７記載の方法で変形された可変構造２０が配置された流路内の溶液のみが送液され、切替え手段制御部２９によって変形される可変構造が切り替えられることによって、実施の形態７記載の方法で送液される液が切り替えられる。
【０１３３】
図１９は、実施の形態８記載の可変構造２０が形状記憶合金もしくはバイメタルで構成された複数の流路が統合流路部２７に流通した被検知物質測定デバイスの構成を示す。図１７と同様に、実施の形態１に示した方法でサンプル液１０を液溜め部Ａ３０、液溜め部Ｂ３１、液溜め部Ｃ３２および統合流路部２７に導入した際、統合流路部２７に接続された複数の流路は常に流通状態であるが、切替え手段制御部２９によって単独の流路に配置された可変構造２０のみに変形が加えられることによって、実施の形態８記載の方法で変形された可変構造２０が配置された流路内の溶液のみが送液され、切替え手段制御部２９によって変形される可変構造が切り替えられることによって、実施の形態８記載の方法で送液される液が切り替えられる。また、複数の可変構造２０に異なる温度依存性を示す形状記憶合金もしくはバイメタルを配置することによって、各流路内の溶液ごとに異なる流速で送液することが容易となる。
【０１３４】
図２０は、実施の形態９記載の可変構造２０の変形を調節する機構部が、熱膨張もしくは熱収縮する媒体２３を充填し外壁部２４に囲まれた空間で構成された複数の流路が統合流路部２７に流通した被検知物質測定デバイスの構成を示す。
【０１３５】
図１９と同様に、実施の形態１に示した方法でサンプル液１０を液溜め部Ａ３０、液溜め部Ｂ３１、液溜め部Ｃ３２および統合流路部２７に導入した際、統合流路部２７に接続された複数の流路は常に流通状態であるが、切替え手段制御部２９によって単独の流路に配置された可変構造２０のみに変形が加えられることによって、実施の形態９記載の方法で変形された可変構造２０が配置された流路内の溶液のみが送液され、切替え手段制御部２９によって変形される可変構造が切り替えられることによって、実施の形態９記載の方法で送液される液が切り替えられる。上記記載と同様に単独の可変構造２０に構造変化が導入されるよう切替え手段制御部２９によって制御された場合、各流路内の溶液が単独で送液され、また、構造変化が導入される可変構造２０を切替えることで容易に送液切替えが達成され、同時にサンプル液温度を調節することが可能となる。
【０１３６】
図１４、１５，１６，１７，１８，１９、２０に示したように、実施の形態４，５，６，７に記載の送液手段を有した複数の流路もしくは液溜め部を連結し、各流路もしくは液溜め部に配置された送液手段を制御する事で、容易に送液の切り替えが達成され、簡易な構成で消費電力の少ない送液機構と液切り替え機構を有した被検知物質測定デバイスが作成可能となる。
【０１３７】
（実施の形態１２）
図２１は、被検知物質捕捉物質固定化領域２に接した流路３を形成する治具５を移動させることによって流路を切り替えることができる被検知物質測定デバイスの構成を示す。ここで実施の形態１と同じものについては同一の符号を付し、詳細な説明を省略する。
【０１３８】
図２１には、実施の形態２記載の吸水材１１を利用した送液手段を有した複数の流路が統合されること無く流路方向に対し並行に配置されている。実施の形態１に示した方法でサンプル液１０を流路に導入した際、流路３と流通している流路以外の流路は治具５によって流路が切断された状態にある。流路３を形成する治具５が流路移動調節部３３によってスライド移動することで、今まで流通状態にあった流路との流通が切断され、同時に今まで流通していなかった流路と流通状態になる。このようにして流路移動調節部３３によって治具５がスライド移動されることで、流路の接続状態を簡易で迅速に切替える事が可能となる。ここで治具をスライドさせる手段としては、モーターを搭載した機構部であっても、バネなどの動力を利用した簡易な構成の装置であっても、手動であっても上記目的の送液切り替えが可能である。
【０１３９】
なお、図２１においては、送液手段として、実施の形態２に示した吸水材１１を利用したものを記述したが、その他、実施の形態３、４、５、６、７、８、９、１０記載のいずれの方法と組み合わせることが可能であり、いずれの場合も、送液を簡易で迅速に切替える事が可能となる。
【０１４０】
図２２は、図２１と同様の構成で、複数の流路に配置した吸水材１１の吸水許容量が異なるように工夫した被検知物質測定デバイスの構成を示す。実施の形態１に示した方法でサンプル液１０を流路に導入した際、流路３と流通状態に有る流路に配置された吸水材１１の吸水許容量は他の流路に配置された吸水材１１の吸水許容量と異なり、この流通状態で送液される溶液の送液量は他の吸水許容量を持つ吸水材１１が配置された流路を送液される溶液の送液量と異なる。図２１の説明と同様の方法で治具５をスライド移動させることによって流路が切り替えられ、送液される溶液ごとに溶液量が異なる様に液が切り替えられる。
【０１４１】
なお、図２２においては、送液手段として、実施の形態２に示した吸水材１１を利用したものを記述したが、その他、実施の形態３、４、５、６、７、８、９、１０記載のいずれの方法と組み合わせることも可能であり、いずれの場合も、流路ごとに設置された送液部の送液許容量や流速を個別に設定する事で、溶液ごとの送液量や流速を個別に設定可能な簡易で迅速な送液切替えが可能となる。
【０１４２】
図２３は、図２１、２２同様に治具のスライドを利用して流路の接続切替えを行う送液切替え手段の構成を示すが、図２１記載の構成と異なり、治具５は円形に形成され、円の中心点を軸とした回転運動によってスライドすることを特長とする被検知物質測定デバイスの構成を示す。図２１の説明と同様に、実施の形態１に示した方法でサンプル液１０を流路に導入した際、吸水材１１を利用した送液手段が配置された流路と、流路３の流通状態が流路移動調節部３３によって回転スライド移動されることによって、流路が切り替えられる。上記構成において、流路３に接続される複数の流路は同一円周上に配置される必要があり、円形治具の回転スライドが円滑に行われるように流路断面も円形であることが必要である。ここで、流路移動調節部３３はモーターなどの機構部を持った装置で治具５に回転運動を加えるものであっても、もしくはバネなどの動力を必要としない装置によって回転運動を加えるものであっても、もしくは手動で回転運動が加えられるものであっても、上記目的の流路切り替えは達成される。
【０１４３】
なお、図２３においては、送液手段として、実施の形態２に示した吸水材１１を利用したものを記述したが、その他、実施の形態３、４、５、６、７、８、９、１０記載のいずれの方法と組み合わせることも可能であり、いずれの場合も、流路ごとに設置された送液部の送液許容量や流速を個別に設定する事で、溶液ごとの送液量や流速を個別に設定可能な簡易で迅速な送液切替えが可能となる。
【０１４４】
上記構成において、治具のスライドによって溶液切替えが簡易に迅速に行えるだけでなく、治具のスライドによる変形が起こらないため、装置をより小型化することが可能となる。
【０１４５】
（実施の形態１３）
図２４は、溶液の流動に対する抵抗を持った流動抵抗部３４を流路内にもつことを特徴とした被検知物質測定デバイスの構成を示す。ここで実施の形態１と同じものについては同一の符号を付し、詳細な説明を省略する。
【０１４６】
図２４において、図２１同様に吸水材１１を利用した送液手段が配置された複数の流路が配置されており、各流路内の吸水材１１と溶液が接する場所に流動抵抗部３４が配置されている。流動抵抗部３４は吸水材１１と溶液が接する面積を制御するように配置されていることで、吸水材１１の溶液接触面積を制御し、吸水材１１によるサンプル液１０の吸水速度を制御する。ここで、実施の形態１に示した方法でサンプル液１０を流路に導入し、サンプル液１０が実施の形態１２に記載の方法で送液され液切り替えされる際、各流路ごとに流動に対する異なる抵抗を持った流動抵抗部３４が配置されることで、送液される溶液ごとに異なる流速で送液される。ここで、流動抵抗部３４はそれ自身吸水作用をもたず、サンプル液１０もしくは吸水材１１と反応しない材質が必要とされ、サンプル液１０と吸水材１１との接触面積を変化させる効果を持つものであれば、どんな形状をしていてもかまわない。
【０１４７】
なお、図２４においては、送液手段として、実施の形態２に示した吸水材１１を利用したものを記述したが、その他、実施の形態３、４、５、６、７、８、９、１０記載のいずれの方法と組み合わせることも可能であり、いずれの場合も、流路ごとに設置された送液部の送液許容量や流速を個別に設定する事で、溶液ごとの送液量や流速を個別に設定可能な簡易で迅速な送液切替えが可能となるが、設置される流動抵抗部３４は流路の断面積を制御するものであっても、その他流路内の形状を変える手段であってもかまわない。
【０１４８】
上記構成において、各流路ごとで異なる流速の送液が可能となり、より簡易な構成で溶液ごとに異なる流速で送液し送液切り替えすることが可能となり、装置をより小型化することが可能となる。
【０１４９】
（実施の形態１４）
図２５は、流路内にサンプル液１０の流動に対する抵抗が変動する流動抵抗部３４と、該流動抵抗部３４の抵抗を調節する流動抵抗調節部３５が配置されている被検知物質測定デバイスの構成を示す。ここで実施の形態１と同じものについては同一の符号を付し、詳細な説明を省略する。
【０１５０】
図２５において、実施の形態１に示した方法でサンプル液１０を流路に導入し、実施の形態１３記載の方法によって溶液ごとに異なる流速で送液され、送液切り替えが行われており、流動抵抗調節部３５によって流動抵抗部３４の抵抗が調節され、流路ごとの流動に対する抵抗が調節され、流路ごとに送液される溶液の流速が調節される。ここで、流動抵抗調節部３５による流動抵抗部３４の抵抗調節手段としては、吸水材１１とサンプル液１０との接触面積を増減させることであり、流動抵抗部を移動させる機構部から構成される。また、該流動抵抗部３４が構造変化しうる材質でその流動抵抗調節部３５によって制御可能であれば流動抵抗部３４を移動させる機構部でなくてもかまわない。例えば流動抵抗部３４が形状記憶合金であって、流動抵抗調節部３５が温度調節する機構で構成されていても、吸水材１１とサンプル液１０との接触面積を増減させることが可能であれば、上記記載の流速調節が可能となる。
【０１５１】
なお、図２５においては、送液手段として、実施の形態２に示した吸水材１１を利用したものを記述したが、その他、実施の形態３、４、５、６、７、８、９、１０記載のいずれの方法と組み合わせることも可能であり、いずれの場合も、流路ごとに設置された送液部の送液許容量や流速を個別に設定する事で、溶液ごとの送液量や流速を個別に設定可能な簡易で迅速な送液切替えが可能となるが、設置される流動抵抗部３４は流路の断面積を制御するものであっても、その他流路内の形状を変える手段であってもかまわない。
【０１５２】
上記構成において、各流路ごとで異なる流速の送液が可能となり、より簡易な構成で溶液ごとに異なる流速で送液し送液切り替えすることが可能となり、装置をより小型化することが可能となる。
【産業上の利用可能性】
【０１５３】
本発明の送液手段および送液切替え手段を搭載した測定デバイスは、構成が簡易で消費電力が少ないため小型軽量化が可能となり、環境や食品、医療分野での被検知物質、例えば、抗原となり得る化学物質やタンパク質や微生物やウイルスやDNAやRNAや脂質等の生体高分子または微量化学物質などを微少量であっても短時間で精度よく検知できる小型の被検知物質測定デバイスとして携帯し、現場で被検知物質を測定することが可能となる。また、小型で送液ロスが低減されることによって、測定時に発生する廃液を少なくし測定後の汚染を低減する事が可能で、測定行為による環境付加の少ない被検知物質測定デバイスを提供することができる。
【図面の簡単な説明】
【０１５４】
【図１】本発明（実施の形態１）の無動力送液部を有した被検知物質測定デバイスの構成図
【図２】本発明（実施の形態２）の吸水材１１を利用した無動力送液部を有した被検知物質測定デバイスの構成図
【図３】本発明（実施の形態３）の静水圧を利用した無動力送液部を有した被検知物質測定デバイスの構成図
【図４】本発明（実施の形態４）の圧力増加部もしくは圧力減少部を有した被検知物質測定デバイスの構成図
【図５】本発明（実施の形態５）の圧力増加部がガス発生装置である被検知物質測定デバイスの構成図
【図６】本発明（実施の形態５）の圧力減少部がガス発生装置である被検知物質測定デバイスの構成図
【図７】本発明（実施の形態６）の圧力増加部のガス発生装置が電気化学方式ガス発生装置である被検知物質測定デバイスの構成図
【図８】本発明（実施の形態７）の可変構造を有した送液機構を有した被検知物質測定デバイスの構成図
【図９】本発明（実施の形態７）のねじり手段を利用した送液機構を有した被検知物質測定デバイスの構成図
【図１０】本発明（実施の形態７）のローラー部を利用した送液機構を有した被検知物質測定デバイスの構成図
【図１１】本発明（実施の形態８）の形状記憶合金もしくはバイメタルを利用した機構を有した被検知物質測定デバイスの構成図
【図１２】本発明（実施の形態９）の体積変化可能な媒体を利用した送液機構を有した被検知物質測定デバイスの構成図
【図１３】本発明（実施の形態１０）の電気泳動を利用した送液機構を有した被検知物質測定デバイスの構成図
【図１４】本発明（実施の形態１１）の流動切替え部を用いた送液切替え機構を有した被検知物質測定デバイスの構成の構成図
【図１５】本発明（実施の形態１１）のガス発生装置を利用した流動切替え機構を有した被検知物質測定デバイスの構成図
【図１６】本発明（実施の形態１１）のガス発生装置を利用し流速調節が可能な流動切替え機構を有した被検知物質測定デバイスの構成図
【図１７】本発明（実施の形態１１）のねじり手段からなる送液機構を利用した流動切替え機構を有した被検知物質測定デバイスの構成図
【図１８】本発明（実施の形態１１）のローラー部を利用した流動切替え機構を有した被検知物質測定デバイスの構成図
【図１９】本発明（実施の形態１１）の形状記憶合金もしくはバイメタルを利用した流動切替え機構を有した被検知物質測定デバイスの構成図
【図２０】本発明（実施の形態１１）の体積変化可能な媒体をからなる機構を有した被検知物質測定デバイスの構成図
【図２１】本発明（実施の形態１２）の流路の移動を利用した流動切替え機構を有した被検知物質測定デバイスの構成図
【図２２】本発明（実施の形態１２）の流路の移動を利用し送液ごとの流量調節が可能な流動切替え機構を有した被検知物質測定デバイスの構成図
【図２３】本発明（実施の形態１２）の測定デバイスの移動が回転運動による流動切替え機構を有した被検知物質測定デバイスの構成図
【図２４】本発明（実施の形態１３）の流路ごとに異なる流動抵抗部を持った流動切替え機構を有した被検知物質測定デバイスの構成図
【図２５】本発明（実施の形態１３）の流路ごとに調節可能な流動抵抗部を持った流動切替え機構を有した被検知物質測定デバイスの構成図
【図２６】従来の被検知物質測定デバイスの構成図
【符号の説明】
【０１５５】
１      被検知物質捕捉物質
２      被検知物質捕捉物質固定化領域
３      流路
４      第２の被検知物質捕捉物質
５      治具
６      液流入口
７      液流出口
８      無動力送液部
９      被検知物質
１０    サンプル液
１１    吸水材
１２    液上面
１３    液下面
１４    流路蓋
１５    圧力増加部
１６    圧力減少部
１７    ガス発生装置
１８    ガス収縮装置
１９    電気化学方式ガス発生装置
２０    可変構造
２１    構造変化調節部
２２    ローラー部
２３    媒体
２４    外壁部
２５    −極
２６    ＋極
２７    統合流路部
２８    流動切替え部
２９    切替え手段制御部
３０    液溜め部Ａ
３１    液溜め部Ｂ
３２    液溜め部Ｃ
３３    流路移動調節部
３４    流動抵抗部
３５    流動抵抗調節部
１０１  フロースルーセル素子
１０２  燐酸緩衝液
１０３  被測定液
１０４  電磁弁
１０５  送液ポンプ
【図１】
2005265672.tif 000003
【図２】
2005265672.tif 000004
【図３】
2005265672.tif 000005
【図４】
2005265672.tif 000006
【図５】
2005265672.tif 000007
【図６】
2005265672.tif 000008
【図７】
2005265672.tif 000009
【図８】
2005265672.tif 000010
【図９】
2005265672.tif 000011
【図１０】
2005265672.tif 000012
【図１１】
2005265672.tif 000013
【図１２】
2005265672.tif 000014
【図１３】
2005265672.tif 000015
【図１４】
2005265672.tif 000016
【図１５】
2005265672.tif 000017
【図１６】
2005265672.tif 000018
【図１７】
2005265672.tif 000019
【図１８】
2005265672.tif 000020
【図１９】
2005265672.tif 000021
【図２０】
2005265672.tif 000022
【図２１】
2005265672.tif 000023
【図２２】
2005265672.tif 000024
【図２３】
2005265672.tif 000025
【図２４】
2005265672.tif 000026
【図２５】
2005265672.tif 000027
【図２６】
2005265672.tif 000028